(57)【要約】【課題】端子部を有する電子機器ユニットに対して中継用の端子台を後付けで簡単に装着可能な端子台装置を提供する。【解決手段】端子台装置１は、中継用の端子台２０，２０と、電子機器ユニット１０１のユニットケース１１０における前面部１１０ａの上下方向と略同一の長さを有し、端子台２０，２０を固定保持する台座部１１、及び台座部１１の長手方向両端から直角方向に延設された一対の取付部１２，１２を有するケース１０とを備えているので、一対の取付部１２，１２をユニットケース１１０の前面部１１０ａを挟む上面部１１０ｃ及び下面部１１０ｄに着脱可能に係止させることにより、端子台装置１を電子機器ユニット１０１へ後付けで簡単に装着することができる。【選択図】図６
2007242486.tif 000002
【特許請求の範囲】
【請求項１】
回路基板を内部に収容するユニットケースの外面に端子部を配設してなる電子機器ユニットに装着される端子台装置であって、
少なくとも一つの端子台と、
前記ユニットケースにおける端子部配設面の所定方向の長さと略同一の長さを有し、前記少なくとも一つの端子台を固定保持する台座部と、
その台座部の長手方向両端から直角方向に延設され、前記ユニットケースの前記端子部配設面を挟む両側外面に着脱可能に係止される一対の取付部と
を備えたことを特徴とする端子台装置。
【請求項２】
前記ユニットケースは、前記端子部配設面を挟む両側外面に凹部又は凸部が設けられたものであり、
前記一対の取付部の内側面に、前記ユニットケース側の前記凹部又は凸部に係合する凸部又は凹部が設けられたことを特徴とする請求項１に記載の端子台装置。
【請求項３】
前記ユニットケースは、前記端子部配設面を挟む両側外面に放熱孔が設けられたものであり、
前記一対の取付部の内側面に、前記ユニットケース側の前記放熱孔に係合する凸部が設けられたことを特徴とする請求項１に記載の端子台装置。
【請求項４】
前記ユニットケースは、前記端子部配設面を挟む両側外面に複数の放熱孔が設けられたものであり、
前記一対の取付部の内側面に設けられた前記凸部は、前記ユニットケース側の前記複数の放熱孔のうち一部の放熱孔に係合することを特徴とする請求項３に記載の端子台装置。
【請求項５】
前記電子機器ユニットに装着された状態で、前記台座部が、前記ユニットケース側の前記端子部と正面視で重ならない位置にあることを特徴とする請求項１乃至４のいずれかに記載の端子台増設装置。
【請求項６】
前記電子機器ユニットに装着された状態で、前記台座部に固定保持された前記少なくとも一つの端子台が、前記ユニットケース側の前記端子部と正面視で隣接することを特徴とする請求項１乃至５のいずれかに記載の端子台装置。
【請求項７】
前記台座部は、少なくとも一部が透明であることを特徴とする請求項１乃至６のいずれかに記載の端子台装置。
【発明の詳細な説明】
【技術分野】
【０００１】
本発明は、回路基板を内部に収容するユニットケースの外面に端子部を配設してなる電子機器ユニットに装着される端子台装置に関する。
【背景技術】
【０００２】
従来、回路基板をユニットケースに収容し且つその外面に端子部を配設してなるプログラマブルコントローラ等の電子機器ユニットにおいては、端子部に設けられた一つ又は複数の端子に電源やグランドを接続する場合、中継端子台を電子機器ユニットとは別個に制御盤に取付け、この中継端子台を電源やグランドに接続すると共に、中継端子台と電子機器ユニットの端子部とをケーブルで接続していた。また、中継端子台としては、例えば、特許文献１に記載されたものがある。
【特許文献１】特開２００４−１３４２４０号公報
【発明の開示】
【発明が解決しようとする課題】
【０００３】
しかしながら、上述したような従来構成では、中継端子台を電子機器ユニットとは別に制御盤に取り付けるための取付け作業に手間がかかると共に、取付け用スペースの確保が必要となるという問題がある。また、中継端子台と電子機器ユニット側の端子部との間の距離が離れているため、それらを接続するために長いケーブルが必要となるという問題や、ケーブル配線状態の目視確認が困難であるという問題もある。
【０００４】
本発明は上述した問題点に鑑みてなされたものであり、解決しようとする課題は、端子部を有する電子機器ユニットに対して中継用の端子台を後付けで簡単に装着可能な端子台装置を提供することである。
【課題を解決するための手段】
【０００５】
以下、上記課題を解決するのに適した各手段につき、必要に応じて作用効果等を付記しつつ説明する。
【０００６】
１．回路基板を内部に収容するユニットケースの外面に端子部を配設してなる電子機器ユニットに装着される端子台装置であって、
少なくとも一つの端子台と、
前記ユニットケースにおける端子部配設面の所定方向の長さと略同一の長さを有し、前記少なくとも一つの端子台を固定保持する台座部と、
その台座部の長手方向両端から直角方向に延設され、前記ユニットケースの前記端子部配設面を挟む両側外面に着脱可能に係止される一対の取付部と
を備えたことを特徴とする端子台装置。
【０００７】
手段１によれば、少なくとも一つの端子台と、電子機器ユニットのユニットケースにおける端子部配設面の所定方向の長さと略同一の長さを有し、少なくとも一つの端子台を固定保持する台座部と、台座部の長手方向両端から直角方向に延設された一対の取付部とを備えているので、一対の取付部をユニットケースの端子部配設面を挟む両側外面に着脱可能に係止させることにより、端子台装置を電子機器ユニットへ後付けで簡単に装着することができる。従って、電子機器ユニットとは別に中継端子台を配置するためのスペースを確保する必要がなく、制御盤等における省スペース化を図ることができる。さらに、端子台装置を電子機器ユニットに装着した状態で、電子機器ユニット側の端子部と端子台装置側の端子台とが近接した位置関係となり、これらの端子間を接続するためのケーブルの長さを短くすることができると共に、配線を容易且つ正確に行うことができ、ケーブルの配線後に端子間の配線状態を目視で容易に確認することができる。
【０００８】
２．前記ユニットケースは、前記端子部配設面を挟む両側外面に凹部又は凸部が設けられたものであり、
前記一対の取付部の内側面に、前記ユニットケース側の前記凹部又は凸部に係合する凸部又は凹部が設けられたことを特徴とする手段１に記載の端子台装置。
【０００９】
手段２によれば、一対の取付部の内側面に設けられた凸部又は凹部を、ユニットケースの端子部配設面を挟む両側外面に設けられた凹部又は凸部に係合させることにより、ねじ等の固定具を用いることなく端子台装置を簡単且つ確実に電子機器ユニットへ固定することができると共に、凹部と凸部との係合を解除することにより簡単に取外すことができる。
【００１０】
３．前記ユニットケースは、前記端子部配設面を挟む両側外面に放熱孔が設けられたものであり、
前記一対の取付部の内側面に、前記ユニットケース側の前記放熱孔に係合する凸部が設けられたことを特徴とする手段１に記載の端子台装置。
【００１１】
手段３によれば、一対の取付部の内側面に設けられた凸部を、ユニットケースの端子部配設面を挟む両側外面に設けられた放熱孔に係合させることにより、ねじ等の固定具を用いることなく端子台装置を簡単且つ確実に電子機器ユニットへ固定することができると共に、凹部と凸部との係合を解除することにより簡単に取外すことができる。尚、電子機器ユニットにおいては、回路基板から発生される熱を効率的にユニットケース外部へ放出させるために、ユニットケース外面に放熱孔が設けられることが一般的であるので、従来から用いられている電子機器ユニットの構成に何ら変更を加えることなく端子台装置を装着することが可能である。
【００１２】
４．前記ユニットケースは、前記端子部配設面を挟む両側外面に複数の放熱孔が設けられたものであり、
前記一対の取付部の内側面に設けられた前記凸部は、前記ユニットケース側の前記複数の放熱孔のうち一部の放熱孔に係合することを特徴とする手段３に記載の端子台装置。
【００１３】
手段４によれば、一対の取付部の内側面に設けられた凸部がユニットケース側の複数の放熱孔のうち一部の放熱孔に係合して端子台装置が確実に固定されると共に、一対の取付部の凸部に係合しない残りの放熱孔によってユニットケースの放熱性能が確保される。
【００１４】
５．前記電子機器ユニットに装着された状態で、前記台座部が、前記ユニットケース側の前記端子部と正面視で重ならない位置にあることを特徴とする手段１乃至４のいずれかに記載の端子台増設装置。
【００１５】
手段５によれば、電子機器ユニットに装着された状態で、台座部がユニットケース側の端子部と正面視で重ならない位置にあるので、電子機器ユニット側の端子部にケーブルを配線する際に台座部が邪魔にならず、容易に配線することができると共に、ケーブルの配線状態を容易に目視確認することができる。
【００１６】
６．前記電子機器ユニットに装着された状態で、前記台座部に固定保持された前記少なくとも一つの端子台が、前記ユニットケース側の前記端子部と正面視で隣接することを特徴とする手段１乃至５のいずれかに記載の端子台装置。
【００１７】
手段６によれば、電子機器ユニットに装着された状態で、台座部に固定保持された少なくとも一つの端子台が、ユニットケース側の端子部と正面視で隣接しているため、極めて長さの短いケーブルを用いて両端子間の接続が可能であると共に、ケーブルの配線状態をより一層容易に目視確認することができる。
【００１８】
７．前記台座部は、少なくとも一部が透明であることを特徴とする手段１乃至６のいずれかに記載の端子台装置。
【００１９】
手段７によれば、台座部の少なくとも一部が透明であるので、端子台装置が電子機器ユニットに装着された状態で、ユニットケースの端子台配設面における端子部の各端子に対応して印字された記号等を容易に目視確認することができる。
【発明の効果】
【００２０】
本発明によれば、端子台装置を電子機器ユニットへ後付けで簡単に装着することができるので、電子機器ユニットとは別に中継端子台を配置するためのスペースを確保する必要がなく、制御盤等における省スペース化を図ることができる。さらに、端子台装置を電子機器ユニットに装着した状態で、電子機器ユニット側の端子部と端子台装置側の端子台とが近接した位置関係となり、これらの端子間を接続するためのケーブルの長さを短くすることができると共に、配線を容易且つ正確に行うことができ、ケーブルの配線後に端子間の配線状態を目視で容易に確認することができる。
【発明を実施するための最良の形態】
【００２１】
以下、本発明の端子台装置を具体化した一実施形態について図面を参照しつつ説明する。図１は、本実施形態の端子台装置１と電子機器ユニット１０１とを分離して示す斜視図である。
【００２２】
最初に、端子台装置１が装着される電子機器ユニット１０１の構成について概略を説明する。電子機器ユニット１０１は、具体的には、センサやスイッチなどの入力機器からの入力信号を取り込み、あらかじめプログラムされた条件をオン／オフすることで、電磁弁やモータ、表示灯などの様々な出力機器を制御するプログラマブルコントローラ（Ｐｒｏｇｒａｍｍａｂｌｅ  Ｌｏｇｉｃ  Ｃｏｎｔｒｏｌｅｒ。以下、ＰＬＣと略記する。）である。電子機器ユニット１０１は、マイクロコンピュータやメモリを含む制御回路が搭載された図示しない回路基板と、回路基板を内部に収容する箱状のユニットケース１１０と、制御回路と接続された２個の端子台１２０，１２０とを備えている。ユニットケース１１０の前面部１１０ａには、端子台１２０,１２０の外形に整合する長方形状の開口１１０ｂ，１１０ｂが形成され、端子台１２０，１２０の後述する挿入口１２１ａ及びプッシュボタン１２２が設けられる面が、開口１１０ｂ，１１０ｂから前面部１１０ａ側にそれぞれ露出している。尚、端子台１２０が、本発明の端子部に、前面部１１０ａが端子部配設面にそれぞれ相当する。
【００２３】
端子台１２０は、公知のワンタッチ接続式の端子台であって、ケーブルが挿入される１０個の挿入口１２１ａを有する直方体状の端子台本体１２１と、各挿入口１２１ａに対応するプッシュボタン１２２及び端子台本体１２１内部に設けられた図示しない板バネ等とを有している。そして、端子台１２０は、ケーブルを接続する際には、ケーブルの端部を挿入口１２１ａに挿入することにより板バネに挟持されてワンタッチで接続でき、ケーブルを取外す際には、プッシュボタン１２２の押圧により板バネが開放されてケーブル端部を取外しできるように構成されている。
【００２４】
また、ユニットケース前面部１１０ａの開口１１０ｂ，１１０ｂ近傍表面には、端子台１２０，１２０の各端子に対応して英数字からなる記号が印字されている。
【００２５】
ユニットケース１１０の上面部１１０ｃ及び下面部１１０ｄには、長方形状の放熱孔１１０ｅが前後方向にそれぞれ複数配列形成されている。ユニットケース１１０内部に収容された回路基板において発生した熱は、ユニットケース１１０の外表面から大気へ放熱されると共に、複数の放熱孔１１０ｅから大気中に直接放熱されることにより、ユニットケース１１０内の温度が使用温度以上の高温に上昇することを防止するように構成されている。尚、上面部１１０ｃ及び下面部１１０ｄが、本発明の端子部配設面を挟む両側外面に相当する。
【００２６】
次に、端子台装置１について、図１乃至図５を参照しつつ説明する。図２（ａ）は端子台装置１の平面図、同図（ｂ）は正面図、同図（ｃ）は底面図、同図（ｄ）は側面図である。図３（ａ）は、端子台２０の平面図、同図（ｂ）は正面図、同図（ｃ）は側面図である。図４は、プリント基板３０の平面図である。図５は、記号板２４の平面図である。
【００２７】
端子台装置１は、ケース１０と、２個の端子台２０，２０と、２枚のプリント基板３０，３０とから構成されている。
【００２８】
ケース１０は、ポリカーボネート等の透明樹脂材料を一体成形してなり、端子台２０，２０を固定保持する細長い長方形状の台座部１１と、台座部１１の長手方向両端から直角方向に延設された取付部１２とを有している。
【００２９】
台座部１１は、ユニットケース１１０の端子台１２０が設けられる前面部１１０ａの長手方向（高さ方向）の長さと略同一の長さを有する細長い長方形板状の台座部本体１１ａと、台座部本体１１ａの短手方向両端から直角方向に数ｍｍ幅で長手方向に沿って延設された側壁部１１ｂと、台座本体１１ａ裏面の長手方向中央に立設されたリブ１１ｃとを備えている。
【００３０】
台座部本体１１ａには、端子台２０，２０の平面形状よりも僅かに大きな長方形状の２つの開口１１ｂ，１１ｂが長手方向に沿って形成されている。また、各開口１１ｂ内周面には、厚さ方向中央に全周に亘って内周側へ張り出す当接部（図示せず）がそれぞれ形成されている。
【００３１】
取付部１２は、ユニットケース前面部１１０ａと略同一幅の取付部本体１２ａと、取付部本体１２ａと台座部本体１１ａとの間に設けられた台座部１１と同一幅の接続部１２ｂとを備えている。取付部本体１２ａの内側面には、ユニットケース１１０の上面部１１０ｃ及び下面部１１０ｄに設けられた複数の放熱孔１１０ｅのうち前面部１１０ａ寄りの2個の放熱孔１１０ｅにそれぞれ係合する２個の凸部１２ｃ，１２ｃが形成されている。接続部１２ｂは、図２（ｄ）において、取付部本体１２ａの上辺に接続され且つ横方向の約三分の一が取付部本体１２ａの左辺より左側へ突設されている。
【００３２】
端子台２０は、公知のワンタッチ接続式の端子台であって、本体２１と、９個のプッシュボタン２２と、本体２１の裏面側に突出する導電金具２３と、本体２１内に収納されて導電金具２３に接続された図示しない板バネとを備えている。
【００３３】
端子台本体２１は、ポリアミド等の樹脂材料からなる直方体状部材であり、ケーブルが挿入される９個の挿入口２１ａが等間隔で一列に形成されている。また、９個の挿入口２１ａに対応して、９個のプッシュボタン２２が本体２１に取付けられている。さらに、各プッシュボタン２２の隣接する端子台本体２１表面には、各端子の記号が印字された記号板２４が、図示しない両面テープにより接着されている。そして、端子台２０は、ケーブルを接続する際に、ケーブル端部を挿入口２１ａに挿入することにより板バネに挟持されてワンタッチで接続でき、ケーブルを取外す際には、プッシュボタン２２の押圧により板バネが開放されてケーブル端部を取外しできるように構成されている。
【００３４】
プリント基板３０は、端子台２０の平面形状よりも一回り大きい長方形板状を呈する公知のプリント配線基板であり、端子台２０の導電金具２３が挿通される貫通孔３０ａが二列に形成されている。プリント基板３０の一方の面には、各貫通孔３０ａの周りに導体ランド３０ｂが形成され、一列の全ての導体ランド３０ｂが配線パターンによって導電接続されている。
【００３５】
次に、端子台装置１の組付け手順について説明する。まず、端子台２０をケース１０の台座部１１表側から開口１１ａ内に配置して内周の当接部に当接させると共に、プリント基板３０を台座部１１裏側から開口１１ａ内に配置して内周の当接部に当接させながら、端子台２０の導電金具２３をプリント基板３０の対応する貫通孔３０ａにそれぞれ挿通させる。この状態で、導電金具２３をプリント基板３０の導体ランド３０ｂに半田付けすることにより、導電金具２３とプリント基板３０の配線パターンとの導通が図られると同時に、端子台２０及びプリント基板３０がケース１０に固定保持され、端子台装置１の組付けが完了する。
【００３６】
続いて、端子台装置１の電子機器ユニット１０１への装着手順について説明する。まず、端子台装置１を、長手方向を上下に向けて、ユニットケース１１０の前面部１１０ａに対して略平行に保持しつつ、長手方向両端の取付部１２，１２をユニットケース１１０の上面部１１０ｃ及び下面部１１０ｄに位置合わせする。そして、ケース１０の上方側に位置する一方の取付部１２の内側面１２ｂに設けられた２個の凸部１２ｃ、１２ｃをユニットケース１０１の上面部１１０ｃに設けられた前面部１１０ａ寄りの２個の放熱孔１１０ｅにそれぞれ係合し、次いで、下方側に位置する他方の取付部１２の内側面１２ｂに設けられた２個の凸部１２ｃ、１２ｃを、ユニットケース１０１の下面部１１０ｄに設けられた前面部１１０ａ寄りの２個の放熱孔１１０ｅにそれぞれ係合することにより、端子台装置１のユニットケース１１０への装着が完了する。図６は、端子台装置１が電子機器ユニット１０１に装着された状態を示す斜視図である。図７は、端子台装置１が電子機器ユニット１０１に装着された状態を示す正面図である。
【００３７】
端子台装置１が電子機器ユニット１０１のユニットケース１１０に取り付けられた状態において、リブ１１ｃ端面がユニットケース１１０の前面部１１０ａに当接するので、台座部本体１１ａに前面側から外力を加えた場合にも、台座部１１が破損することを防止できる。また、台座部本体１１ａは、前後方向に数ｍｍの長さを有する接続部１２ｂを介して取付部本体１２ａと接続され、ユニットケース１１０の前面部１１０ａから数ｍｍ離隔しているので、台座部本体１１裏面に取付けられたプリント基板３０や端子台２０の導電金具２３とユニットケース前面部１１０ａとの間には隙間が確保される。さらに、台座部本体１１ａの短手方向両端から直角方向に延設された側壁部１１ｂによって、台座部本体１１ａとユニットケース前面部１１０ａとの間の空間内へのアクセスが禁止され、端子台２０の導電金具２３等への接触が防止される。
【００３８】
次に、端子台装置１が装着された電子機器ユニット１０１の使用方法の一例について説明する。端子台装置１の一方の端子台２０に設けられた複数の端子のいずれか一つに、電源側から延出されるケーブルが接続され、他方の端子台２０に設けられた複数の端子のいずれか一つにグランド側から延出されたケーブルが接続される。上述したように、端子台２０の各端子は、導電金具２３及びプリント基板３０を介して互いに導通接続されているため、一方の端子台２０の全ての端子が電源レベルとなり、他方の端子台２０の全ての端子が接地レベルとなっている。
【００３９】
一方、電子機器ユニット１０１に設けられた端子台１２０の複数の端子の一部には、図示しない入力装置又は出力装置から延出されたケーブルが接続され、信号の入力又は出力が行われる。そして、電子機器ユニット１０１の端子台１２０の残りの端子の一部はケーブルを介して端子台装置１の一方の端子台２０のいずれかの端子に接続されて電子機器ユニット１０１に電源が供給される。また、電子機器ユニット１０１の端子台１２０の他の一部の端子は、ケーブルを介して端子台装置１の他方の端子台２０のいずれかの端子に接続されて接地が図られる。
【００４０】
以上詳述したことから明らかなように、本実施形態の端子台装置１によれば、中継用の端子台２０，２０と、電子機器ユニット１０１のユニットケース１１０における前面部１１０ａの高さ方向の長さと略同一の長さを有し、端子台２０，２０を固定保持する台座部１１、及び台座部１１の長手方向両端から直角方向に延設された一対の取付部１２，１２を有するケース１０とを備えているので、一対の取付部１２，１２をユニットケース１１０の前面部１１０ａを挟む上面部１１０ｃ及び下面部１１０ｄに着脱可能に係止させることにより、端子台装置１を電子機器ユニット１０１へ後付けで簡単に装着することができる。従って、電子機器ユニット１０１とは別に中継端子台を配置するためのスペースを確保する必要がなく、制御盤等における省スペース化を図ることができる。さらに、端子台装置１を電子機器ユニット１０１に装着した状態で、電子機器ユニット１０１側の端子台１２０と端子台装置１側の端子台２０とが近接した位置関係となり、これらの端子間を接続するためのケーブルの長さを短くすることができると共に、配線を容易且つ正確に行うことができ、ケーブルの配線後に端子間の配線状態を目視で容易に確認することができる。
【００４１】
また、一対の取付部１２，１２の内側面に設けられた凸部１２ｃ、１２ｃを、ユニットケース１１０の上面部１１０ｃ及び下面部１１０ｄに設けられた前面部１１０ａ寄りの２つの放熱孔１１０ｅ，１１０ｅに係合させることにより、ねじ等の固定具を用いることなく端子台装置１を簡単且つ確実に電子機器ユニット１０１へ固定することができるので、従来から用いられている電子機器ユニットの構成に何ら変更を加えることなく端子台装置１を装着することが可能である。また、凸部１２ｃと放熱孔１１０ｅとの係合を解除することにより、端子台装置１を電子機器ユニット１０１から簡単に取り外すことができる。尚、複数の放熱孔１１０ｅのうち、前面部１１０ａ寄りの２つの放熱孔１１０ｅ，１１０ｅ以外には一対の取付部１２の凸部１２ｃが係合されないので、それら残りの複数の放熱孔１１０ｅによってユニットケース１１０の放熱性能が十分に確保される。
【００４２】
また、図７に示すように、端子台装置１が電子機器ユニット１０１に装着された状態で、台座部１１がユニットケース１１０の前面部１１０ａの端子台１２０，１２０と正面視で重ならない位置にあるので、電子機器ユニット１０１側の端子台１２０にケーブルを配線する際に台座部１１が邪魔にならず、容易に配線することができると共に、ケーブルの配線状態を容易に目視確認することができる。特に、端子台装置１が電子機器ユニット１０１に装着された状態で、台座部１１に固定保持された端子台２０，２０が、ユニットケース１１０の前面部１１０ａの端子台１２０，１２０と正面視で隣接しているため、極めて長さの短いケーブルを用いて両端子間の接続が可能であると共に、ケーブルの配線状態をより一層容易に目視確認することができる。
【００４３】
また、図８に示すように、電子機器ユニット１０１の左側面に他の電子機器ユニット２０１を連装した場合に、台座部１１が、他の電子機器ユニット２０１のユニットケース２１０の前面部２１０ａの端子台２２０，２２０と正面視で重ならない位置にあるので、電子機器ユニット２０１側の端子台２２０にケーブルを配線する際に台座部１１が邪魔にならず、容易に配線することができる
【００４４】
さらに、台座部１１を含むケース１０全体が透明であるので、端子台装置１が電子機器ユニット１０１に装着された状態で、ユニットケース１１０の前面部１１０ａにおける端子台１２０，１２０の各端子に対応して印字された記号等を容易に目視確認することができる。
【００４５】
尚、本発明は上述した各実施の形態に限定されるものではなく、本発明の主旨を逸脱しない範囲で種々の変更を施すことが可能である。例えば、前記実施の形態では、電子機器ユニット１０１のユニットケース１１０の上面部１１０ｃ及び下面部１１０ｄにそれぞれ設けられた複数の放熱孔１１０ｅに、一対の取付部１２，１２の内側面に設けられた凸部１２ｃ、１２ｃを係合させる構成としたが、ユニットケース１１０の左右両側面に放熱孔１１０ｅが設けられている場合は、一対の取付部１２，１２の内側面に設けられた凸部１２ｃ、１２ｃをユニットケース１１０の左右両側面に設けられた放熱孔１１０ｅに係合させる構成としてもよい。
【００４６】
また、電子機器ユニット１０１のユニットケース１１０が、端子部配設面である前面部１１０ａを挟む両側外面に凹部又は凸部が設けられたものである場合は、一対の取付部１２，１２の内側面に、ユニットケース１０１側の凹部又は凸部に係合する凸部又は凹部を設ける構成としてもよい。本変形例によれば、一対の取付部１２，１２の内側面に設けられた凸部又は凹部を、ユニットケース１１０の前面部１１０ａを挟む両側外面に設けられた凹部又は凸部に係合させることにより、端子台装置１を簡単且つ確実に電子機器ユニット１０１へ固定することができる。
【００４７】
また、前記実施形態では、ケース１０の台座部１１に、ワンタッチ接続式の端子台２０，２０を固定保持するように構成した例を示したが、ねじ締め式の端子台を固定保持するように構成してもよい。
【００４８】
また、前記実施形態では、ケース１０全体を透明としたが、台座部１１の少なくとも一部を透明とすれば、端子台装置１が電子機器ユニット１０１に装着された状態で、ユニットケース１１０の前面部１１０ａにおける端子台１２０，１２０の各端子に対応して印字された記号等を容易に目視確認可能である。
【００４９】
また、前記実施形態では、プログラマブルコントローラである電子機器ユニット１０１に端子台装置１を着脱可能に装着する例を示したが、回路基板を内部に収容するユニットケースの外面に端子部を配設してなる温度センサ等の各種の電子機器ユニットに装着するようにしてもよい。
【産業上の利用可能性】
【００５０】
本発明は、回路基板を内部に収容するユニットケースの外面に端子部を配設してなる電子機器ユニットに中継用の端子台を設ける必要がある場合に適用可能である。
【図面の簡単な説明】
【００５１】
【図１】本発明の一実施形態である端子台装置と電子機器ユニットとを分離して示す斜視図である。
【図２】（ａ）は端子台装置の平面図、（ｂ）は正面図、（ｃ）は底面図、（ｄ）は側面図である。
【図３】（ａ）は端子台の平面図、（ｂ）は正面図、（ｃ）は側面図である。
【図４】プリント基板の平面図である。
【図５】記号板の平面図である。
【図６】端子台装置が電子機器ユニットに装着された状態を示す斜視図である。
【図７】端子台装置が電子機器ユニットに装着された状態を示す正面図である。
【図８】端子台装置が装着された電子機器ユニットに他の電子機器ユニットが連装された状態を示す正面図である。
【符号の説明】
【００５２】
１    端子台装置
１０    ケース
１１    台座部
１２    取付部
１２ｃ  凸部
２０    端子台
１０１    電子機器ユニット
１１０    ユニットケース
１１０ａ  前面部（端子部配設面）
１１０ｃ  上面部（端子部配設面を挟む両側外面）
１１０ｄ  下面部（端子部配設面を挟む両側外面）
１１０ｅ  放熱孔
１２０    端子台（端子部）
【図１】
2007242486.tif 000003
【図２】
2007242486.tif 000004
【図３】
2007242486.tif 000005
【図４】
2007242486.tif 000006
【図５】
2007242486.tif 000007
【図６】
2007242486.tif 000008
【図７】
2007242486.tif 000009
【図８】
2007242486.tif 000010